(57)【要約】【課題】  一つのユニットに大きさの異なる複数のガラスパネルが設けられていても、気密水密性を常に良好に保つことが可能なカーテンウォールを提供する。【解決手段】  各ユニット１００、２００、３００、４００を縦横に連結して隣接配置するとともに、各ユニットは、無目３５５により仕切られた複数のガラスパネルＳＧ、ＰＧを備え、複数のガラスパネルのそれぞれを取り込む左右縦枠にはそれぞれに空室ＶＳ、ＶＰが形成されており、各空室は、空気通路により連通されているカーテンウォールとする。【選択図】      図５
2005155177.tif 000002
【特許請求の範囲】
【請求項１】
各ユニットを縦横に連結して隣接配置するとともに、前記各ユニットは、無目により仕切られた複数のガラスパネルを備え、前記複数のガラスパネルのそれぞれを取り込む左右縦枠にはそれぞれに空室が形成されており、前記各空室は、空気通路により連通されているカーテンウォール。
【発明の詳細な説明】
【技術分野】
【０００１】
本発明は、カーテンウォールに関し、特に気密・水密性に優れたカーテンウォールに関する。
【背景技術】
【０００２】
カーテンウォールには、建設現場において部材を組み合わせて形成するノックダウン式カーテンウォールと、工場において枠組みを行い、かつガラスパネルまで入れたものを現場で取り付けするユニット式カーテンウォールとがある。ユニット式カーテンウォールをビル壁に順次取り付ける方式の一つに、これまで主に海外において使用されてきたインターロッキング方式がある。インターロッキング方式のカーテンウォールは、工場生産されたユニットにガラスパネルを嵌め込み、現場に搬入して取り付けを行うのが一般的である。取り付けにより上下左右のユニットが相互に嵌合し合い連結されて、建物壁面を形成する。
【０００３】
通常、カーテンウォールユニットにおいては、左右ユニット連結部のガラスパネル取り込み部に外気と圧力を等しく保つ等圧空間を形成している。そしてこの等圧空間が外気と等圧に保たれることにより室内外の気密水密が安定して保持される構造となっている。
【０００４】
特許文献１には、カーテンウォールユニットを上下左右に連続させて配置したユニット式カーテンウォールであって、上下に隣接するカーテンウォールユニットの上枠と下枠の各対向する面のいずれか一方に突条が、他方に凹条溝がそれぞれ長さ方向に連続して形成され、上下に隣接するカーテンウォールユニットが突条と凹条溝が互いに噛み合って配置されることによりカーテンウォールユニット間の相対変位を吸収しながら、相対変位時のシール材の密着状態を維持し、水密性を確保するカーテンウォールが開示されている。
【特許文献１】特開平７−３９２３号公報
【発明の開示】
【発明が解決しようとする課題】
【０００５】
従来一つのユニットに、無目等により仕切られた複数のガラスパネルが備えられている場合、それぞれに独立に仕切られた等圧空間が設けられ、各等圧空間内の圧力を外気圧と等しくするための通気孔が、それぞれのガラスパネルに対応するように外壁面側所定個所に設けられていた。したがって、ガラスパネルの大きさに差がある場合に、等圧空間の容積にも差ができてしまう。しかし、等圧空間の容積に差があると、各等圧空間内の圧力が等しくなるまでにタイムラグを生じ、このタイムラグの間は、気密水密性が保ちにくくなるという問題があった。
【０００６】
そこで、本発明は、一つのユニットに大きさの異なる複数のガラスパネルが設けられていても、気密水密性を常に良好に保つことが可能なカーテンウォールを提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、各ユニット（１００、２００、３００、４００）を縦横に連結して隣接配置するとともに、各ユニットは、無目（３５５）により仕切られた複数のガラスパネル（ＳＧ、ＰＧ）を備え、複数のガラスパネルのそれぞれを取り込む左右縦枠にはそれぞれに空室（ＶＳ、ＶＰ）が形成されており、各空室は、空気通路により連通されているカーテンウォール（１０）により前記課題を解決しようとするものである。
【発明の効果】
【０００９】
請求項１に記載の発明によれば、各空室がそれぞれに空気通路により連通されているので、それぞれのガラスパネルに対応して壁面側に設けられている通気孔から導入される外気により各室間に差圧が発生しても、瞬時に空気通路を通じて高圧の空室側から低圧の空室側へと空気が供給されて、差圧が解消されるので、各等圧空間の差圧解消のためのタイムラグが実質的に発生しない。したがって、各ユニット内の気密水密性を常に良好に保つことが可能となる。
【発明を実施するための最良の形態】
【００１０】
本発明のカーテンウォールは、各ユニットを縦横に連結して隣接配置するとともに、各ユニットは、無目により仕切られた複数のガラスパネルを備え、複数のガラスパネルのそれぞれを取り込む左右縦枠にはそれぞれに空室が形成されており、各空室は、空気通路により連通されているものである。以下に本発明の一実施形態として、無目により上下２つのエリアに仕切られたユニットにより構成されるカーテンウォールについて、図面に基づき説明する。
図１は、カーテンウォールの外観を示す図であり、（ａ）は、室外側からの視点による正面図、（ｂ）はユニット取り付け部における垂直断面図、（ｃ）は取り付け部における水平断面図である。以下の説明においては、図１（ａ）に示されている配置を基準に上下左右の別を表現するものとする。したがって、室内側からの視点による図面では左右の表示が逆になる。
【００１１】
図示のカーテンウォール１０は、カーテンウォールのユニット…１１〜１５…、…２１〜２５…、…３１〜３５…が上下左右に連結されて、建物正面を覆う構造になっている。各ユニット…１１〜１５…、…２１〜２５…、…３１〜３５…は、その上部を建物躯体の横材５１、５２、５３…に取り付け材６１、６２、６３、…により取り付けられ（図１（ｂ）参照）、吊り下げられるように固定されている。各ユニットの四辺の周囲はそれぞれが接する上下左右のユニットと接合されている。
【００１２】
図２は、図１の一部分を拡大して示す図である。図２では、交差部Ａを基準にその周囲に配置される４つのユニットが示されている。以下の説明においては、室外側からの正面図である、この図の配置を基準として、改めてこれら各ユニットに参照符号を割り付け、右下ユニット１００、右上ユニット２００、左下ユニット３００、左上ユニット４００と呼ぶこととする。また、同一部材において、上下左右の区別をする場合に各参照符号の後に右下：ａ、右上：ｂ、左下：ｃ、左上ｄの補助符号を付することがある。
図３は、カーテンウォール１０の単一のユニットを示す図であり、（ａ）は室外側から見た正面図、（ｂ）は側面図、（ｃ）は室内側から見た正面図である。図示のように単一のカーテンウォールユニットは、上枠３５１、下枠３５２、左縦枠３５３、右縦枠３５４からなる枠体３９と、該枠体３９を上下に仕切る無目３５５と、無目３５５により仕切られた枠体３９の上部にはめ込まれた単板ガラスパネルＳＧと、枠体３９の下部にはめ込まれた複層ガラスパネルＰＧとを備えている。単板ガラスパネルＳＧと、複層ガラスパネルＰＧそれぞれ左右の縦枠に取り込まれており、縦枠の室外側面の背後（室内側）には、単板ガラスパネルＳＧ、複層ガラスパネルＰＧそれぞれに対応して、空室ＶＳ、ＶＰが形成されている。無目３５５の上部には単板ガラスパネルＳＧを固定するための押し縁４０が取り付けられており、無目３５５への押し縁取り付け部から押し縁の室外側面を支えるアーム部に空室ＶＳに外気を導き入れる通気孔３６が形成されている。ただし、通気孔３６は図面には現れていない。また、下枠３５２の所定個所空室ＶＰに外気を導き入れる通気孔３７が形成されている。通気孔３７も図面には現れていない。上下の通気孔３６、３７は意匠上目立たなく、かつ雨水が侵入し難い所定の個所に同一程度の大きさでほぼ同一形状に形成されている。なお、単板ガラスパネルＳＧが組み込まれた上部仕切りにおいては、空室ＶＳのさらに室内側に耐火ボード３８が配置されている。したがって、室外側からは単板ガラスパネルＳＧを透かして、室内側からは直接、耐火ボード３８を見ることができる。
【００１３】
上枠３５１の上面側にはその上に配置されるユニットの下面に形成された凹部と嵌合する凸部が形成されている。下枠３５２の下面側にはその下に配置されるユニットの上面に形成された凸部を受け容れる凹部が形成されている。左縦枠３５３の左端側にはその右側に配置されるユニットの右枠右端側に形成されている凹部と嵌合する凸部が形成されている。右縦枠３５４の右端側にはその左側に配置されるユニットの左枠左端側に形成されている凸部を受け容れる凹部が形成されている。上記各凹部と凸部の嵌合あるいは係合により上下左右のユニットの連結が実現されている。
【００１４】
図４は、図２におけるIV−IV線に沿った垂直断面図であり、ユニット４００の無目３５５の上下の部分を示すものである。図示の通り、無目３５５の上方には単板ガラスパネルＳＧが、ビード４１、４２を介して枠材に取り付けられている。単板ガラスパネルＳＧの背後（室内側）には、空気層が配置され、さらにその室内側には耐火ボード３８が配置されている。一方、無目３５５の下方には、複層ガラスパネルＰＧが、ビード４３、４５を介して枠材に取り付けられている。２枚のガラス板で構成されている複層ガラスパネルＰＧは、スペーサ４４により、２枚のガラス板間の間隔が保たれている。
【００１５】
図５は、図２におけるV−V線に沿った水平断面図である。この図面では、右上ユニット２００の左端部と、左上ユニット４００の右端部とが連結されて示されている。ここでは便宜上、左右の連結部を室外側から順にガラスパネル取り付け部５００Ａ、室外等圧室５００Ｂ、室内等圧室５００Ｃと呼ぶことにする。図５において、左右のユニット４００、２００の両端部には見込み方向に主端部縦材５０１ｄ、５０１ｂが設けられている。主端部縦材５０１ｄ、５０１ｂの室外側からはさらに見付け方向に第一ガラスパネル固定部５０２ｄ、５０２ｂが延在し、それらの先端からさらに室外方向にパネル固定部連結材５０３ｄ、５０３ｂが延在されている。またさらにその先端から見付け方向に第一ガラスパネル固定部５０２ｄ、５０２ｂと対向するように第二ガラスパネル固定部５０４ｄ、５０４ｂが延設されて、これらによってガラスパネル取り付け部５００Ａが構成されている。連結状態においては、ガラスパネル取り付け部５００Ａの左右のユニット４００、２００は、室外側に開口を形成している。第一ガラスパネル固定部５０２ｄ、５０２ｂには、隙間保障部材５５０ｄ、５５０ｂを介してビード４２ｄ、４２ｂが、第二ガラスパネル固定部５０４ｄ、５０４ｂにはビード４１ｄ、４１ｂが直接取り付けられ、これらのビードにより単板ガラスパネルＳＧｄ、ＳＧｂが固定されている。
【００１６】
各単板ガラスパネルＳＧｄ、ＳＧｂの背後（室内側）には、空気層が設けられ、さらにその室内側は、耐火ボード３８ｄ、３８ｂにより仕切られている。
【００１７】
左上ユニット４００において、パネル固定部連結材５０３ｄの室内側先端は、第一ガラスパネル固定部５０２ｄとの交点のさらに室内方向に延長されており、その先端から見付け方向（右上ユニット２００側）に、当接片５０５が延設されている。
【００１８】
左上ユニット４００の主端部縦材５０１ｄの中央やや室内寄りから見付け方向（右上ユニット２００側）に第一縦壁５１０が、そして、主端部縦材５０１ｄの室内側先端から見付け方向（右上ユニット２００側）に第二縦壁５２０が延設されている。一方、右上ユニット２００の主端部縦材５０１ｂの略中央から見付け方向（左上ユニット４００側）に第三縦壁５３０が、そして、左上ユニット４００の第一縦壁５１０に対応する位置には第四縦壁５４０が、さらに室内側先端から見付け方向（左上ユニット４００側）に第五縦壁５５０が延設されている。第一ガラスパネル固定部５０２ｄ、５０２ｂと、主端部縦材５０１ｄ、５０１ｂの室外側の略３分の２と、第一縦壁５１０と、第四縦壁５４０とで、室外等圧室５００Ｂを構成している。また、第一縦壁５１０と、第四縦壁５４０と、主端部縦材５０１ｄ、５０１ｂの室内側の略３分の１と、第二縦壁５２０と、第五縦壁５５０とで、室内等圧室５００Ｃを構成している。ガラスパネル取り付け部５００Ａ、室外等圧室５００Ｂ、及び、室内等圧室５００Ｃを構成する各縦材は、連結部を除き、各ユニットの高さ方向全長に亘り形成されている。
【００１９】
当接片５０５の先端部室外側には弾性シール材５０６が取り付けられている。弾性シール材５０６は、右上ユニット２００の第一ガラスパネル固定部５０２ｂの室内側の面に当接されている。第一縦壁５１０の先端（右上ユニット２００側）室内側面には、弾性シール材５０７が取り付けられている。弾性シール材５０７は、右上ユニット２００の第四縦壁５４０の室外側面に当接されている。さらに、第二縦壁５２０の先端部室内側面は、第五縦壁５５０の先端部室外側面に当接されている。これら左上ユニット４００の弾性シール材５０６、５０７と、右上ユニット２００の縦材５０２ｂ、５４０との当接、及び第二縦壁５２０と第五縦壁５５０との当接によって、左右のユニット４００、２００の見込み方向の位置関係が規制されている。
【００２０】
一方、左右各ユニット４００、２００の上枠（不図示）の両端には、端部弾性シール材が取り付けられている。連結状態においては左右ユニット４００、２００の端部に配置されたこれら弾性シール材同士が密着される。これにより左右ユニット４００、２００間の見付け方向の相対位置が一意に決せられる。この状態においては、横方向に連結された一群のユニットは未だ見付け方向に位置の変動可能であるが、最終的に各ユニットは前記したように建物躯体横材に固定されるので、これによって左右のユニット間の連結位置関係が確定して、左右ユニット間の連結が完了される。
【００２１】
図６は、図２におけるVI−VI線に沿った水平断面図である。この図面でも、右上ユニット２００の左端部と、左上ユニット４００の右端部とが連結されて示されている。なお、以下の図６に関する説明において、図５に示されるものと同一の部材に関しては同一の参照符号を付してその説明を省略する。
【００２２】
図示の左右ユニット４００、２００の連結状態においては、ガラスパネル取り付け部５００Ａは、室外側に開口を形成している。第一ガラスパネル固定部５０２ｄ、５０２ｂには、ビード４５ｄ、４５ｂが、第二ガラスパネル固定部５０４ｄ、５０４ｂにはビード４３ｄ、４３ｂが取り付けられ、これらのビードにより複層ガラスパネルＰＧｄ、ＰＧｂが固定されている。
【００２３】
左上ユニット４００において、パネル固定部連結材５０３ｄの室内側先端は、第一ガラスパネル固定部５０２ｄとの交点のさらに室外方向に延長されており、その先端から見付け方向（右上ユニット２００側）に、当接片５０５が延設されている。
【００２４】
図６で示すユニット下部においても、図５で示したユニット上部と同様に、左上ユニット４００の弾性シール材５０６、５０７と、右上ユニット２００の縦材５０２ｂ、５４０との当接、及び第二縦壁５２０と第五縦壁５５０との当接によって、左右のユニット４００、２００の見込み方向の位置関係が規制されている。本実施形態のカーテンウォール１０では、第一縦壁５１０、弾性シール材５０７、及び第四縦壁５４０により止水ラインが形成されている。したがって、ガラスパネル取り付け部５００Ａ、及び室外等圧室５００Ｂは室外の気圧に等しく保たれれる。
【００２５】
図５及び図６における左上ユニット４００に関して、第一ガラスパネル固定部５０２ｄ、パネル固定部連結材５０３ｄ、第二ガラスパネル固定部５０４ｄ、ビード４３ｄ、４５ｄ、及び複層ガラスパネルＰＧｄの端部（スペーサ４４ｄ端部を含む。）に囲まれた柱状の部分である空室（図５の単板ガラスパネルＳＧの部分では空室ＶＳ、図６の複層ガラスパネルＰＧの部分では空室ＶＰ）は、ユニットの上下方向全長に連通している。単板ガラスパネルＳＧｄ側の空室ＶＳｄと、複層ガラスパネルＰＧｄ側の空室ＶＰｄとは、ユニットの左右両端に存在する。また上記では、左上ユニット４００に関して説明したが、かかる連通の状況は各ユニットに共通するものである。
【００２６】
本実施形態のカーテンウォールユニット１００〜４００のように単板ガラスパネルＳＧと複層ガラスパネルＰＧとの高さ方向長さが異なるとき、空室ＶＳの容積は、空室ＶＰの容積よりかなり小さなものとなる。従来、空室ＶＳと空室ＶＰとは無目の部分で、上下に隔壁が設けられ仕切られていた。かかる場合には、通気孔３６、３７はそれぞれ一定の大きさ、形状に形成されているので、外気圧が変化した場合、空室ＶＳの内圧と空室ＶＰの内圧とが等しくなるまでにタイムラグが生じ、このタイムラグによりユニット内部のシール機能が不安定になる問題があった。しかし本発明のカーテンウォールを構成する各ユニットにおいては、空室ＶＳと空室ＶＰとはユニットの上下方向全長に貫通して形成されているので、空室ＶＳの内圧と空室ＶＰの内圧とが等しくなるまでのタイムラグが生じることがない。したがって、このタイムラグによりユニット内部のシール機能が不安定になる問題が解消される。
【００２７】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うカーテンウォールもまた本発明の技術的範囲に包含されるものとして理解されなければならない。
【図面の簡単な説明】
【００２８】
【図１】カーテンウォールの外観を示す図である。
【図２】図１の一部を拡大して示す図である。
【図３】カーテンウォールの１ユニットを示す図である。
【図４】図２におけるIV−IV線に沿った垂直断面図である。
【図５】図２におけるV−V線に沿った水平断面図である。
【図６】図２におけるVI−VI線に沿った水平断面図である。
【符号の説明】
【００２９】
ＳＧ  単板ガラスパネル（ガラスパネル）
ＰＧ  複層ガラスパネル（ガラスパネル）
ＶＳ、ＶＰ  空室
１０  カーテンウォール
１００、２００、３００、４００  カーテンウォールユニット
３５５  無目
【図１】
2005155177.tif 000003
【図２】
2005155177.tif 000004
【図３】
2005155177.tif 000005
【図４】
2005155177.tif 000006
【図５】
2005155177.tif 000007
【図６】
2005155177.tif 000008